(57)【要約】【課題】汲み上げポンプの振動が汲み上げ管を介して筐体に伝達され、騒音が発生することを防止する。【解決手段】貯留タンク９に燃油を供給する汲み上げポンプ１２と、外部タンクからの送油ホース１８が接続される汲み上げ管１６と、汲み上げ管１６の移動を規制する移動規制部材１９と、を備え、筐体１は、その側面に筐体穴部１ｆを有し、汲み上げ管１６は、汲み上げポンプ１２の入口から略垂直方向に延設された垂直部１６ｂと、入口端１６ａから略水平方向に延設された水平部１６ｃとを有し、移動規制部材１９は、汲み上げ管１６の垂直部１６ｂが挿通される切り欠き部２０を有して垂直部１６ｂの軸方向に略直交する水平板１９ａと、汲み上げ管１６の水平部１９ａが挿通される規制穴部２１を有して水平部１６ｃの軸方向に略直交する垂直板１９ｂと、を有し、筐体穴部１ｆ、切り欠き部２０および規制穴部２１と、汲み上げ管１６とを非接触状態とした。【選択図】図２
2019203614.tif 000002
【特許請求の範囲】
【請求項１】
筐体の内部に、燃油を燃焼させる燃焼部と、該燃焼部に燃油を供給する燃料ポンプと、前記燃焼部に供給される燃油を貯留する貯留タンクと、該貯留タンク内に外部タンクからの燃油を供給する汲み上げポンプと、前記外部タンクからの送油ホースが接続され、前記汲み上げポンプの入口に接続される汲み上げ管と、該汲み上げ管の移動を規制する移動規制部材と、を備え、
前記筐体は、その側面に前記汲み上げ管の入口端を臨ませる筐体穴部を有し、
前記汲み上げ管は、略垂直方向に延設された垂直部と、前記入口端から略水平方向に延設された水平部とを有し、
前記移動規制部材は、前記汲み上げ管の垂直部が挿通される切り欠き部を有して前記垂直部の軸方向に略直交する水平板と、前記汲み上げ管の水平部が挿通される規制穴部を有して前記水平部の軸方向に略直交する垂直板と、を有し、
前記筐体穴部、前記切り欠き部および前記規制穴部と、前記汲み上げ管とが非接触状態としていることを特徴とする燃焼装置。
【請求項２】
前記移動規制部材の前記垂直板は、前記水平板の、前記切り欠き部の開放端側の側面に略直交する端部から垂下して設けられていることを特徴とする請求項１記載の燃焼装置。
【請求項３】
前記移動規制部材は、前記水平板の、前記切り欠き部の開放端の反対の側面に折り曲げ片が設けられていることを特徴とする請求項２記載の燃焼装置。
【請求項４】
燃油を燃焼させる燃焼部に供給される燃油を貯留する貯留タンクと、
該貯留タンクの上面を塞ぐタンク蓋と、
該タンク蓋に設けられ前記燃焼部に燃油を供給する燃料ポンプと、
前記タンク蓋に設けられ前記貯留タンク内に外部タンクからの燃油を供給する汲み上げポンプと、
前記タンク蓋に設けられ前記貯留タンク内の油面を検知する油面センサと、
前記外部タンクからの送油ホースが接続され、前記汲み上げポンプの入口に接続される汲み上げ管と、
前記貯留タンクを載置固定するタンク支持部材と、
該タンク支持部材に固定され前記汲み上げ管の移動を規制する移動規制部材と、を備え、
前記汲み上げ管は、略垂直方向に延設された垂直部と、前記入口端から略水平方向に延設された水平部とを有し、
前記移動規制部材は、前記垂直部の軸方向に略直交する水平板と、前記水平部の軸方向に略直交し、前記水平板の、前記切り欠き部の開放端側の側面に略直交する端部から垂下して設けられている垂直板と、を有し、
前記水平板に、前記汲み上げ管の垂直部が挿通され、前記汲み上げ管の外径よりも大きな切り欠き幅を有した切り欠き部を設け、
前記垂直板に、前記汲み上げ管の水平部が挿通され、前記汲み上げ管の外径よりも大きな内径を有した規制穴部を設けたことを特徴とする燃料供給装置。
【発明の詳細な説明】
【技術分野】
【０００１】
本発明は、汲み上げポンプを備えた燃焼装置および燃料供給装置に関するものである。
【背景技術】
【０００２】
従来よりこの種の汲み上げポンプを備えた燃焼装置においては、特許文献１に示すように、筐体の内部に、燃油を燃焼させる燃焼部と、該燃焼部に燃油を供給する燃料ポンプと、前記燃焼部に供給される燃油を貯留する貯留タンクと、該貯留タンク内に外部タンクからの燃油を供給する汲み上げポンプと、前記外部タンクからの送油ホースが接続され、前記汲み上げポンプの入口に接続される汲み上げ管とを備えたものがあった。
【先行技術文献】
【特許文献】
【０００３】
【特許文献１】特許第２８７０２２１号公報
【発明の概要】
【発明が解決しようとする課題】
【０００４】
ところが、この従来のものでは、汲み上げ管の入口端が金具を介して筐体側面に固定されているものであるため、汲み上げポンプの振動が汲み上げ管を介して筐体に伝達され、騒音が発生してまうものであった。
【課題を解決するための手段】
【０００５】
本発明の燃焼装置は上記課題を解決するために、筐体の内部に、燃油を燃焼させる燃焼部と、該燃焼部に燃油を供給する燃料ポンプと、前記燃焼部に供給される燃油を貯留する貯留タンクと、該貯留タンク内に外部タンクからの燃油を供給する汲み上げポンプと、前記外部タンクからの送油ホースが接続され、前記汲み上げポンプの入口に接続される汲み上げ管と、該汲み上げ管の移動を規制する移動規制部材と、を備え、前記筐体は、その側面に前記汲み上げ管の入口端を臨ませる筐体穴部を有し、前記汲み上げ管は、略垂直方向に延設された垂直部と、前記入口端から略水平方向に延設された水平部とを有し、前記移動規制部材は、前記汲み上げ管の垂直部が挿通される切り欠き部を有して前記垂直部の軸方向に略直交する水平板と、前記汲み上げ管の水平部が挿通される規制穴部を有して前記水平部の軸方向に略直交する垂直板と、を有し、前記筐体穴部、前記切り欠き部および前記規制穴部と、前記汲み上げ管とを非接触状態としているものとした。
【０００６】
また、前記移動規制部材の前記垂直板は、前記水平板の、前記切り欠き部の開放端側の側面に略直交する端部から垂下して設けられているものとした。
【０００７】
また、前記移動規制部材は、前記水平板の、前記切り欠き部の開放端の反対の側面に折り曲げ片が設けられているものとした。
【０００８】
また、本発明の燃料供給装置は、燃油を燃焼させる燃焼部に供給される燃油を貯留する貯留タンクと、該貯留タンクの上面を塞ぐタンク蓋と、該タンク蓋に設けられ前記燃焼部に燃油を供給する燃料ポンプと、前記タンク蓋に設けられ前記貯留タンク内に外部タンクからの燃油を供給する汲み上げポンプと、前記タンク蓋に設けられ前記貯留タンク内の油面を検知する油面センサと、前記外部タンクからの送油ホースが接続され、前記汲み上げポンプの入口に接続される汲み上げ管と、前記貯留タンクを載置固定するタンク支持部材と、該タンク支持部材に固定され前記汲み上げ管の移動を規制する移動規制部材と、を備え、前記汲み上げ管は、略垂直方向に延設された垂直部と、前記入口端から略水平方向に延設された水平部とを有し、前記移動規制部材は、前記垂直部の軸方向に略直交する水平板と、前記水平部の軸方向に略直交し、前記水平板の、前記切り欠き部の開放端側の側面に略直交する端部から垂下して設けられている垂直板と、を有し、前記水平板に、前記汲み上げ管の垂直部が挿通され、前記汲み上げ管の外径よりも大きな切り欠き幅を有した切り欠き部を設け、前記垂直板に、前記汲み上げ管の水平部が挿通され、前記汲み上げ管の外径よりも大きな内径を有した規制穴部を設けたものとした。
【発明の効果】
【０００９】
本発明によれば、汲み上げ管と移動規制部材とが非接触となるため、汲み上げポンプの振動を縁切ることができ、騒音の発生を抑制できると共に、非接触でありつつも汲み上げ管に送油ホースを着脱する際の汲み上げ管の大きな移動・変形を防止することができる。
【図面の簡単な説明】
【００１０】
【図１】本発明の一実施形態の燃焼装置の一部透過斜視図
【図２】同一実施形態の燃料供給装置の斜視図
【図３】同一実施形態の移動規制部材の斜視図
【発明を実施するための形態】
【００１１】
次に、本発明を強制給排気式石油温風暖房装置に適用した一実施形態を図面に基づいて説明する。
１は石油温風暖房装置の筐体で、前パネル１ａ、左右両側の側面板１ｂ、背面板１ｃ、上面板１ｄ、底板１ｅを備えて構成されている。
【００１２】
２は筐体１前面に開口されて温風を吹き出す温風吹き出し口、３は筐体１上部に設けられた操作部、４は燃焼用の空気を取り込み、熱交換後の排気ガスを排出するための２重管よりなる給排気管、５は屋外に露出された給排気トップ、６は給排気管４から燃焼用空気を燃焼部（図示せず）に供給するための給気ホース、７は燃焼部からの燃焼ガスが流通して筐体１背面に設けられた送風ファン（図示せず）から送風される室内空気と熱交換させる熱交換器、８は燃焼部に灯油等の燃油を供給するための燃料供給装置である。
【００１３】
そして、暖房運転が開始されると、燃料供給装置８からの燃油と給気ホース６に接続されている燃焼ファン（図示せず）からの燃焼用空気が燃焼部に供給されて燃焼が行われ、燃焼部からの燃焼ガスは熱交換器７で室内空気と熱交換され、排気ガスとなって給排気管４を通過して給排気トップ５から屋外へ排出される一方、室内空気は送風ファンによって熱交換器７で加熱されて温風吹き出し口２から吹き出して暖房が行われる。
【００１４】
次に、燃料供給装置８について詳しく説明する。
燃料供給装置８は、燃焼部に供給される燃油を貯留する貯留タンク９と、貯留タンク９の燃油を燃焼部に供給する燃料ポンプ１０と、貯留タンク９内の燃油の油面高さを検知する油面センサ１１と、貯留タンク９内の油面が所定高さよりも低下したときに、所定高さまで屋外の外部タンク（図示せず）からの燃油を供給する汲み上げポンプ１２とを一体的に備えている。
【００１５】
貯留タンク９の上面はタンク蓋１３で塞がれ、このタンク蓋１３に燃料ポンプ１０および油面センサ１１が取り付けられている。燃料ポンプ１０は、吸入端（図示せず）が貯留タンク９内に設けられ、燃料パイプ１４を介して燃焼部へ燃焼量に応じた量の貯留タンク９内の燃油を供給する。油面センサ１１は、貯留タンク９内の油面の上下動に応じて上下動するフロート（図示せず）を有し、下限油面と上限油面を検知する。なお、この油面センサ１１は、光学式のものであってもよい。
【００１６】
貯留タンク９は、タンク支持部材１５によって底板１ｅに載置固定されており、タンク支持部材１５は、ベース部１５ａと一対の立ち上げ部１５ｂより成り、ベース部１５ａはゴムブッシュ１５ｃを介して底板１ｅにネジ止めされ、立ち上げ部１５ｂの上端に、貯留タンク９の上端フランジ（図示せず）とタンク蓋１３とがネジで共締めされて、貯留タンク９底部が浮いた状態で固定されている。
【００１７】
タンク蓋１３は、貯留タンク９の上面よりも一端側に延出された延出部１３ａを有し、この延出部１３ａに汲み上げポンプ１２が固定されている。汲み上げポンプ１２は、下部の入口側にＬ字状の汲み上げ管１６が接続され、上部の出口側に汲み上げ吐出パイプ１７が接続されている。汲み上げ吐出パイプ１７は、タンク蓋９に開口された導入穴部１３ｂを介して貯留タンク９内に開放されている。
【００１８】
汲み上げ管１６の入口端１６ａは、筐体１の側面（ここでは背面板１ｃ）に開口された筐体穴部１ｆを介して筐体外に臨まされ、入口端１６ａに外部タンクからのゴム製の送油ホース１８が接続されてホースクリップ（図示せず）で固定されている。屋外の外部タンクと汲み上げ管１６は、外部タンクに接続された屋外銅配管（図示せず）と、屋外銅配管に接続され屋内に配置される屋内元栓（図示せず）と、屋内元栓からの送油ホース１８とを介して接続されている。筐体穴部１ｆの内径は、汲み上げ管１６の外径よりも大きくされ、筐体１と汲み上げ管１６とは非接触状態となっている。
【００１９】
汲み上げ管１６は、Ｌ字状を呈しており、汲み上げポンプ１２の下側の入口から略垂直方向に延説された垂直部１６ｂと、入口端１６ａから略水平方向に延設された水平部１６ｃと、垂直部１６ｂの下端と水平部１６ｃの反入口側端とをつなげるＲ部１６ｄとを有している。垂直部１６ｂの上端には、汲み上げポンプ１２の入口に袋ナットで接続される継ぎ手部１６ｅが設けられている。
【００２０】
この汲み上げ管１６は、移動規制部材１９によって送油ホース１８取り付け等の際の管の移動・変形が規制されている。移動規制部材１９は、板金部材より構成されており、汲み上げ管１６の垂直部１６ｂの軸方向と略直交する水平板１９ａと、汲み上げ管１６の水平部１６ｃの軸方向と略直交する垂直板１９ｂとを有し、汲み上げ管１６の入口端１６ａ側の水平板１９ａの先端から垂直板１９ｂが垂下するように汲み上げ管１６とは１８０度回転させた方向のＬ字状を呈した形状を有している。
【００２１】
水平板１９ａの側面には、水平板１９ａの側端を折り曲げて曲げ強度を向上させる折り曲げ片１９ｃが設けられている。この折り曲げ片１９ｃには、タンク支持部材１５の立ち上げ部１５ｂへ固定するためのネジ穴１９ｄが設けられ、立ち上げ片１５ｂを介してタンク支持部材１５に固定されて、汲み上げポンプ１２との相対的位置が固定されている。
【００２２】
水平板１９ａには、汲み上げ管１６の垂直部１６ｂが挿通される切り欠き部２０が、垂直板１９ｂと略直交し、かつ折り曲げ片１９ｃがない端面に開放端が開口されるように設けられている。垂直板１９ｂには、汲み上げ管１６の水平部１６ｃが挿通される規制穴部２１が設けられている。切り欠き部２０、規制穴部２１は、切り欠きの幅あるいは内径が汲み上げ管１６の外径よりも大きくされ、それぞれが汲み上げ管１６と非接触状態となっている。
【００２３】
規制穴部２１には、汲み上げ管１６の水平部１６ｃが当接した際に振動の伝達を緩和するため、あるいは垂直板１９ｂの比較的薄い板厚で汲み上げ管１６の水平部１６ｃに集中した応力がかからないようにするためのゴム等の軟質樹脂製のブッシュ２２が規制穴部２１の端面を覆うように設けられている。このブッシュ２２の内径も汲み上げ管１６の外径よりも大きくされ、汲み上げ管１６と非接触状態となっている。
【００２４】
そして、暖房運転によって貯留タンク９内の燃油が消費され、油面センサ１１によって下限油面まで燃油が減ったことを検知すると、汲み上げポンプ１２が駆動開始され、外部タンクからの燃油が貯中タンク９に供給され、油面センサ１１によって上限油面まで燃油が増えたことを検知すると、汲み上げポンプ１２が駆動停止され、貯留タンク９内には一定量の燃油が保持される。なお、汲み上げポンプ１２の駆動停止は、汲み上げポンプ１２の駆動開始から所定時間の経過で駆動停止するようにしてもよい。
【００２５】
このように構成されたことで、汲み上げ管１６と筐体１および移動規制部材１９とが非接触となるため、汲み上げポンプ１２の振動のうち汲み上げ管１６を介した振動を筐体１に対して縁切ることができ、騒音の発生を抑制できる
【００２６】
また、汲み上げ管１６の入口端１６ａに送油ホース１８を差し込むあるいは引き抜く際に、汲み上げ管１６の水平部１６ｃの径方向（上下左右方向）へずらす様な力がかかっても、汲み上げ管１６の水平部１６ｃの移動が移動規制部材１９の垂直板１９ｂの規制穴部２１によって規制され、汲み上げ管１６の水平部１６ｃの軸方向（筐体１の内部方向）へ押し付ける力、あるいは引き出す力がかかっても、汲み上げ管１６の垂直部１６ｂの移動が移動規制部材１９の水平板１９ａの切り欠き部２０の内側面によって規制される。
【００２７】
よって、汲み上げ管１６が大きく移動・変形してしまうことがなく、送油ホース１８の差し込み・引き抜き作業が容易に行える。
【００２８】
このとき、規制穴部２１によって汲み上げ管１６の水平部１６ｃの径方向（特に左右方向）の移動が規制されているため、汲み上げ管１６の垂直部１６ｂが切り欠き部２０から外れてしまうことがなく、切り欠き部２０が常に汲み上げ管１６の垂直部１６ｂに作用できる位置となり、軸方向（筐体１の内部方向）への過剰な変形を確実に防止することができる。
【００２９】
また、規制穴部２１によって汲み上げ管１６の垂直部１６ｂを軸とした回転も規制されるため、送油ホース１８の差し込み・引き抜き作業に起因する汲み上げ管１６と汲み上げポンプ１２とを接続している継ぎ手部１６ｅの緩みも抑制することができる。
【００３０】
移動規制部材１９の水平板１９ａの側面に折り曲げ片１９ｃを設けているため、水平板１９ａの板の厚み方向（上下方向）にかかる力に対する剛性を高め、より強い力に対する汲み上げ管１６の変形防止を実現でき、あるいは移動規制部材１９自体の薄肉化を実現できる。
【００３１】
製造やメンテナンス時等の組み立て時には、汲み上げ管１６の水平部１６ｃを移動規制部材１９の垂直板１９ｂの規制穴部２１に通し、その後汲み上げ管１６の垂直部１６ｂを移動規制部材１９の水平板１９ａの切り欠き部２０に挿通されるように、汲み上げ管１６の水平部１６ｃを軸として汲み上げ管１６と移動規制部材１９とを相対的に回転させ、汲み上げ管１６の継ぎ手部１６ｅを汲み上げポンプ１２の入口に接続するように組み付けるので、汲み上げ管１６を容易かつ一律に所定の位置にセットでき、組み立て容易とすることができる。
【００３２】
なお、本発明は、上記一実施形態に限定されるものではなく、要旨を変更しない範囲での改変が可能なものであり、強制給排気式石油温風暖房装置を例に説明したが、例えば輻射式石油暖房装置や石油温水ボイラであってもよいものである。
【００３３】
また、燃焼部は、燃料ポンプ１０からの燃料供給を受けて燃焼を行う公知のものであればよく、気化式バーナ、ポット式バーナ、ガンバーナなどであればよいものである。
【符号の説明】
【００３４】
１  筐体
１ｆ  筐体穴部
８  燃料供給装置
９  貯留タンク
１０  燃料ポンプ
１１  油面センサ
１２  汲み上げポンプ
１３  タンク蓋
１５  タンク支持部材
１６  汲み上げ管
１６ａ  入口端
１６ｂ  垂直部
１６ｃ  水平部
１８  送油ホース
１９  移動規制部材
１９ａ  水平板
１９ｂ  垂直板
１９ｃ  折り曲げ片
２０  切り欠き部
２１  規制穴部
【図１】
2019203614.tif 000003
【図２】
2019203614.tif 000004
【図３】
2019203614.tif 000005